(57)【要約】【課題】  ＤＸコードの有無にかかわらず写真フィルムの有無を検出することのできる低コストのカメラを提供することを目的とする。【解決手段】  パトローネ装填室１１に装填されたパトローネのＤＸコードを検出するＤＸコードセンサ１２と、パトローネ内の写真フィルムを給送する給送部４０と、給送部４０に、パトローネ内の写真フィルムを初回に給送させることによりファーストフレームセットを行わせるとともに、そのファーストフレームセットにあたり給送部４０に給送開始を指示した後所定時間内に写真フィルムの給送が検出されなかった場合に給送部４０に給送停止を指示するファーストフレームセット制御部３１とを備え、そのファーストフレームセット制御部３１は、上記所定時間として、ＤＸコードセンサ１２によりＤＸコードが検出されたか否かに応じて、それぞれ相対的な長時間および相対的な短時間を採用するようにした。【選択図】        図３
2005274902.tif 000002
【特許請求の範囲】
【請求項１】
長尺の写真フィルムを巻回した状態に収容したパトローネが装填されるパトローネ装填室を備え、該パトローネ装填室に装填されたパトローネ内の写真フィルムを引き出して該写真フィルム上に写真撮影を行うカメラにおいて、
前記パトローネ装填室に装填されたパトローネのＤＸコードを検出するＤＸコードセンサと、
前記パトローネ装填室に装填されたパトローネ内の写真フィルムを給送する給送部と、
前記給送部に、前記パトローネ装填室に装填されたパトローネ内の写真フィルムを初回に給送させることによりファーストフレームセットを行わせるとともに、該ファーストフレームセットにあたり前記給送部に給送開始を指示した後所定時間内に該写真フィルムの給送が検出されなかった場合に前記給送部に給送停止を指示するファーストフレームセット制御部とを備え、
前記ファーストフレームセット制御部は、前記所定時間として、前記ＤＸコードセンサによりＤＸコードが検出されたか否かに応じて、それぞれ相対的な長時間および相対的な短時間を採用するものであることを特徴とするカメラ。
【請求項２】
前記パトローネ装填室を開閉自在に覆う蓋と、該蓋の開閉を検出する開閉センサとを備え、
前記ファーストフレームセット制御部は、前記開閉センサにより蓋が閉じられた旨の検出を受けて、前記給送部にファーストフレームセットのための給送開始を指示するものであることを特徴とする請求項１記載のカメラ。
【請求項３】
前記パトローネは、パーフォレーションが穿設された写真フィルムを巻回した状態に収容するものであって、
給送中の写真フィルムのパーフォレーションの数を計数するパーフォレーションセンサを備え、
該パーフォレーションセンサを、該写真フィルムの給送を検出するセンサとして用いることを特徴とする請求項１記載のカメラ。
【発明の詳細な説明】
【技術分野】
【０００１】
本発明は、長尺の写真フィルムを巻回した状態に収容したパトローネを装填して写真撮影を行うカメラに関する。
【背景技術】
【０００２】
従来、パトローネ入りの写真フィルムを用いるカメラにおいて、装填されたパトローネから写真フィルムを引き出して撮影可能な位置に自動的に給送する、いわゆる自動給送方式のカメラが広く用いられている。
【０００３】
この自動給送方式のカメラは、フィルム給送モータを起動させるスイッチ手段、例えば、パトローネ装填室の蓋の開閉を検出する開閉センサ、またはユーザにより操作されるレリーズボタンなどを備え、これらのセンサやボタンからの信号を受け取ることにより、自動的に、ファーストフレームセット、すなわち最初の撮影可能位置まで写真フィルムを巻上げるようになっているものが多い。
【０００４】
この自動給送方式のカメラにおいて、例えば、パトローネを装填しないでカメラの裏蓋を閉じたり、レリーズボタンを押したりした場合でもフィルム給送モータが起動するようになっていると、ユーザは故障が起きたと勘違いする恐れがある。あるいは、故障とは思わないまでも無用なフィルム給送動作が長々と続くという印象をユーザに与えることになり好ましくない。
【０００５】
そこで、カメラにパトローネの有無を検出するパトローネ検出手段を装備することにより、例えば、パトローネが装填されないままカメラの裏蓋を閉じたり、レリーズボタンを押したりしたような場合には、パトローネが装填されていないことをユーザに警告するようにすることが考えられる。
【０００６】
パトローネ検出手段としては、パトローネの装填の有無を直接検出するセンサを備えることが考えられるが、そのような専用のセンサを備えた場合には、コストアップを招くという問題がある。そこで、パトローネ検出用のセンサを備える代わりに、通常のパトローネに付されている、写真フィルムの感度や撮影枚数などを記号化したＤＸコードを検出するＤＸコードセンサを備え、このＤＸコードセンサでＤＸコードが検出されたか否かによりパトローネ装填の有無を検出するようにした自動給送方式のカメラが開示されている（例えば、特許文献１参照。）。
【特許文献１】特開平０１−２１７４３６号公報（第１−３頁、図１）
【発明の開示】
【発明が解決しようとする課題】
【０００７】
しかし、上記のように、ＤＸコードセンサを利用してパトローネ装填の有無を検出する方式のカメラでは、ＤＸコードの付されていないパトローネが装填された場合には、実際にパトローネが装填されているにもかかわらずパトローネ無しと判定されてしまうため、写真フィルムは給送されず従って撮影ができないという問題がある。
【０００８】
本発明は上記事情に鑑み、ＤＸコードの有無にかかわらず写真フィルムの有無を検出することのできる低コストのカメラを提供することを目的とする。
【課題を解決するための手段】
【０００９】
上記目的を達成する本発明のカメラは、
長尺の写真フィルムを巻回した状態に収容したパトローネが装填されるパトローネ装填室を備え、そのパトローネ装填室に装填されたパトローネ内の写真フィルムを引き出してその写真フィルム上に写真撮影を行うカメラにおいて、
上記パトローネ装填室に装填されたパトローネのＤＸコードを検出するＤＸコードセンサと、
上記パトローネ装填室に装填されたパトローネ内の写真フィルムを給送する給送部と、
上記給送部に、上記パトローネ装填室に装填されたパトローネ内の写真フィルムを初回に給送させることによりファーストフレームセットを行わせるとともに、そのファーストフレームセットにあたり上記給送部に給送開始を指示した後所定時間内にその写真フィルムの給送が検出されなかった場合に上記給送部に給送停止を指示するファーストフレームセット制御部とを備え、
上記ファーストフレームセット制御部は、上記所定時間として、上記ＤＸコードセンサによりＤＸコードが検出されたか否かに応じて、それぞれ相対的な長時間および相対的な短時間を採用するものであることを特徴とする。
【００１０】
ここで、上記パトローネ装填室を開閉自在に覆う蓋と、その蓋の開閉を検出する開閉センサとを備え、
上記ファーストフレームセット制御部は、上記開閉センサにより蓋が閉じられた旨の検出を受けて、上記給送部にファーストフレームセットのための給送開始を指示するものであってもよい。
【００１１】
また、上記パトローネは、パーフォレーションが穿設された写真フィルムを巻回した状態に収容するものであって、
給送中の写真フィルムのパーフォレーションの数を計数するパーフォレーションセンサを備え、
そのパーフォレーションセンサを、その写真フィルムの給送を検出するセンサとして用いるものであってもよい。
【発明の効果】
【００１２】
本発明のカメラによれば、ＤＸコードの付されていないパトローネ入りの写真フィルムを用いた場合でもファーストフレームセットを行うことができ、しかも、パトローネが入っていないときに、ユーザに与える不快感が低減された低コストのカメラを実現することができる。
【００１３】
ここで、本発明のカメラを、上記のように、パトローネ装填室を開閉自在に覆う蓋と、その蓋の開閉を検出する開閉センサとを備え、上記ファーストフレームセット制御部を、上記開閉センサにより蓋が閉じられた旨の検出を受けて、上記給送部にファーストフレームセットのための給送開始を指示するものとして構成した場合は、給送部に対するファーストフレームセットのための給送開始の指示を、一層確実なものとすることができる。
【００１４】
また、本発明のカメラを、上記のように、給送中の写真フィルムのパーフォレーションの数を計数するパーフォレーションセンサを備え、そのパーフォレーションセンサを、その写真フィルムの給送を検出するセンサとして用いるものとして構成した場合は、写真フィルムの給送を、パーフォレーションの数に基づいて正確に検出することができるので、ファーストフレームセット制御を一層確実に実行させることができる。
【発明を実施するための最良の形態】
【００１５】
以下図面を参照して本発明の実施の形態を説明する。
【００１６】
図１は、本発明の一実施形態であるカメラの外観を示す斜視図である。
【００１７】
図１に示すように、このカメラ１には、カメラボディ１ａの中央部にレンズ鏡胴１ｂが備えられており、そのレンズ鏡胴１ｂの上方には、露出測定用の測光窓１ｃや焦点調節用のＡＦ（Ａｕｔｏｆｏｃｕｓ）窓１ｄやファインダ１ｈへの光を取り込むためのファインダ窓１ｅなどが配備されている。また、ファインダ窓１ｅの横には補助光を閃光するための閃光発光窓１ｆが設けられ、また、カメラボディ１ａの上面にはシャッタ操作用のレリーズ釦１ｇや、写真フィルムおよびカメラの状態を表示する表示部１ｊが設けられている。さらに、このカメラ１の背面側にはファインダ窓１ｅからの光に基づき被写体の構図を決めるためのファインダ１ｈがカメラボディ１ａから突出するようにして設けられている。
【００１８】
このカメラ１は、焦点距離可変な撮影光学系を鏡胴１ｂ内に備え、その鏡胴１ｂの伸縮により焦点距離が変更され、その焦点距離に応じた倍率で写真撮影が行われるものである。    図２は、本実施形態のカメラの裏面側およびカメラ内部に装填されるパトローネを示す概要図である。
【００１９】
図２に示すように、このカメラ１の裏面側には、内部に写真フィルム３を収容したパトローネ２が装填されるパトローネ装填室１１、パトローネ２に付されたＤＸコードを検出するＤＸコードセンサ１２、パトローネ２から引き出された写真フィルム３が、鏡胴１ｂ（図１参照）内の撮影光学系により露光される範囲を規制する露光枠１３、写真フィルム３に穿設されたパーフォレーション３ａと係合して写真フィルム３を給送するスプロケット１４、写真フィルム３を巻き取る巻取りスプール１５、パトローネ装填室１１および露光枠１３などを覆う開閉自在の裏蓋１６、裏蓋１６の開閉を検出する開閉センサ１７、パーフォレーション３ａの数を計数するフォトリフレクタ１８、被写体の構図を決めるためのファインダ１ｈ、写真フィルムおよびカメラの状態を表示する表示部１ｊ、裏蓋１６をカメラボディ１ａに開閉自在に支持する蝶番２１などが備えられている。
【００２０】
なお、巻取りスプール１５の内側にはフィルム給送モータが配置されており、上記のスプロケット１４は、そのフィルム給送モータとともに、本発明にいう給送部４０（図３参照）を構成している。
【００２１】
また、図２には、上記パトローネ装填室１１に装填されるパトローネ２、および写真フィルム３の先端部３ｂが示されており、さらに、上記カメラボディ１ａと蝶番２１で結合された裏蓋１６、および裏蓋１６の写真フィルム側に設けられた、写真フィルム３を露光枠１３に押し付ける圧板２２、フィルム確認窓２３なども示されている。
【００２２】
図３は、本実施形態のカメラの概略構成を示すブロック図である。
【００２３】
図３に示すように、本実施形態のカメラは、長尺の写真フィルムを巻回した状態に収容したパトローネが装填されるパトローネ装填室１１を備え、パトローネ装填室１１に装填されたパトローネ内の写真フィルムを引き出し、その写真フィルムの露光枠１３内の部分に写真撮影を行うカメラである。
【００２４】
このカメラには、パトローネ装填室１１に装填されたパトローネのＤＸコードを検出するＤＸコードセンサ１２と、パトローネ装填室１１に装填されたパトローネ内の写真フィルムを給送する給送部４０と、給送部４０に、パトローネ装填室１１に装填されたパトローネ内の写真フィルムを初回に給送させることによりファーストフレームセットを行わせるとともに、ファーストフレームセットにあたり給送部４０に給送開始を指示した後所定時間内に写真フィルムの給送が検出されなかった場合に給送部４０に給送停止を指示するファーストフレームセット制御部３１と、鏡胴１ｂ（図１参照）内の撮影光学系からの露光に基づいて写真フィルム３（図２参照）に写真を撮影する撮影部５０とを備えている。
【００２５】
なお、撮影部５０は、上記撮影光学系のほかに、撮影光学系の焦点を自動的に調節するＡＦ装置（図示せず）、被写体の露出を測定する露出装置（図示せず）、レリーズ釦１ｇ（図２参照）の操作に基づき写真フィルムに露光を行うシャッタ装置などを備えている。
【００２６】
本実施形態では、ファーストフレームセット制御部３１は、上記所定時間として、ＤＸコードセンサ１２によりＤＸコードが検出されたか否かに応じて、それぞれ相対的な長時間および相対的な短時間を採用するよう構成されている。
【００２７】
また、この実施形態のカメラ１は、パトローネ装填室１１の蓋１６の開閉を検出する開閉センサ１７を備えており、上記ファーストフレームセット制御部３１は、開閉センサ１７により、蓋１６が閉じられた旨の検出を受けて、給送部４０にファーストフレームセットのための給送開始を指示するよう構成されている。
【００２８】
また、この実施形態のカメラ１は、上記パトローネ装填室１１にパーフォレーションが穿設された写真フィルムを巻回した状態に収容するパトローネを装填して写真撮影を行うものであって、給送中の写真フィルムのパーフォレーションの数を計数するパーフォレーションセンサ１８を備えており、このパーフォレーションセンサ１８を、写真フィルムの給送を検出するセンサとして用いている。
【００２９】
なお、上記のフォトリフレクタ１８は、本発明にいうパーフォレーションセンサに相当するものである。
【００３０】
図４は、本実施形態のカメラの制御機構を示すブロック図である。
【００３１】
図４に示すように、本実施形態のカメラには、カメラ全体を制御する、内部にＲＡＭ（Ｒａｎｄｏｍ  Ａｃｃｅｓｓ  Ｍｅｍｏｒｙ）３０ａおよびＲＯＭ（Ｒｅａｄ  Ｏｎｌｙ  Ｍｅｍｏｒｙ）３０ｂを有するマイコン３０、マイコン３０に電源を供給する電源回路３２、表示部１ｊ（図２参照）に備えられるＬＣＤ（Ｌｉｑｕｉｄ  Ｃｒｙｓｔａｌ  Ｄｉｓｐｌａｙ）３３、フォトリフレクタ１８（図２参照）等が含まれるＬＥＤ（Ｌｉｇｈｔ  Ｅｍｉｔｔｉｎｇ  Ｄｉｏｄｅ）群３４、フラッシュを発光させるフラッシュ回路３５、被写体の明るさを測定する測光回路３６、被写体までの距離を測定する測距回路３７、制御用のパラメータを記憶するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３８、開閉センサ１７（図２参照）などのスイッチ群３９、スプロケット１４（図２参照）およびフィルム給送モータ（図示せず）などからなる給送部４０、シャッタを駆動するシャッタ駆動部４１、給送部４０やシャッタ駆動部４１などのモータを駆動するモータドライバＩＣ（Ｉｎｔｅｇｒａｔｅｄ  Ｃｉｒｃｕｉｔ）４２などが備えられている。
【００３２】
マイコン３０には、ファーストフレームセット制御部３１が形成される。ファーストフレームセット制御部３１は、給送部４０に、パトローネ装填室（図２参照）に装填されたパトローネ内の写真フィルムを初回に給送させることによりファーストフレームセットを行わせるとともに、そのファーストフレームセットにあたり、給送部４０に給送開始を指示した後所定時間内に写真フィルムの給送が検出されなかった場合に給送部４０に給送停止を指示するものであり、上記所定時間として、ＤＸコードセンサ１２（図２参照）によりＤＸコードが検出されたか否かに応じて、それぞれ相対的な長時間および相対的な短時間を採用するように構成されている。
【００３３】
また、本実施形態のカメラは、パトローネ装填室１１（図２参照）を開閉自在に覆う裏蓋１６と、裏蓋１６の開閉を検出する開閉センサ１７とを備え、上記ファーストフレームセット制御部３１は、開閉センサ１７により裏蓋１６が閉じられた旨の検出を受けて、給送部４０にファーストフレームセットのための給送開始を指示するように構成されている。
【００３４】
また、本実施形態のカメラは、パーフォレーション３ａ（図２参照）が穿設された写真フィルム３を巻回した状態に収容するパトローネ２が用られるようになっており、給送中の写真フィルム３のパーフォレーション３ａの数を計数するフォトリフレクタ１８を備えており、このフォトリフレクタ１８を写真フィルム３の給送を検出するセンサとして用いるように構成されている。
【００３５】
なお、本実施形態におけるフォトリフレクタ１８は、本発明にいうパーフォレーションセンサに相当するものである。
【００３６】
そのほか、上記ＲＡＭ３０ａには、ファーストフレームセット制御部の制御動作に必要な、「カメラ状態」、「オーバタイム」、「パーフォセンサカウンタ」、「フィルムカウント」、「パーフォＡ／Ｄフラグ」、「センサ状態」などのパラメータが記憶される。
【００３７】
また、上記ＥＥＰＲＯＭ３８には、ファーストフレームセット制御部の制御動作に必要な、「カメラ状態」、「フィルムカウント」などのパラメータが記憶される。
【００３８】
次に、本実施形態のカメラのファーストフレームセット制御部の動作について説明する。
【００３９】
ユーザによりカメラ１（図２参照）の裏蓋１６が閉じられると、スイッチ群３９（図４参照）の一つである開閉センサ１７（図２参照）により裏蓋１６が閉じられたことが検出され、その検出信号に基づきファーストフレームセット制御部３１（図４参照）は裏蓋閉処理を開始する。
【００４０】
図５は、本実施形態のカメラにおける裏蓋閉処理のフローチャートである。
【００４１】
図５に示すように、先ず、電源回路３２内のバッテリ（図示せず）のチェックが行われ（ステップＳ０１）、バッテリチェックが正常であるか否かを判定する。（ステップＳ０３）。判定の結果、バッテリチェックが正常である場合はステップＳ０３に進み、ＦＦＳ（Ｆｉｒｓｔ  Ｆｒａｍｅ  Ｓｅｔ：ファーストフレームセット）処理が行われる。判定の結果、バッテリチェックに異常がある場合はＬＣＤ３３（図４参照）の一つである表示部１ｊ（図２参照）にその旨を表示し終了する。
【００４２】
次に、本実施形態のカメラにおけるファーストフレームセット処理について説明する。
【００４３】
図６は、本実施形態のカメラにおけるファーストフレームセット処理のフローチャートである。
【００４４】
図６に示すように、先ず、「カメラ状態」に“ＦＦＳ中”を書込み（ステップＳ１１）、次に、その「カメラ状態」の値（“ＦＦＳ中”）をＥＥＰＲＯＭ３８に書き込む（ステップＳ１２）。
【００４５】
このＥＥＰＲＯＭ３８への書込みを行うことにより、例えば、このカメラの操作中に電池交換が行われてＲＡＭの記憶内容が失わたような場合に、ＥＥＰＲＯＭの記憶内容をＲＡＭに書き戻すことにより電池交換前の状態に復元させることができる。
【００４６】
次に、電源回路３２（図４参照）内のフォトリフレクタ１８（図２参照）用の電源をオンにする（ステップＳ１３）。
【００４７】
なお、以下の説明では、“パーフォレーション”を単に“パーフォ”と表記する。
【００４８】
次に、パーフォセンサレベルチェック処理が行われる（ステップＳ１４）。このパーフォセンサレベルチェック処理では、フォトリフレクタ１８（図２参照）からの出力信号のレベルチェックが行われ、チェックの結果、正常と判定された場合はステップＳ１５に進み、チェックの結果、異常と判定された場合は、表示部１ｊ（図２参照）にその旨を表示してファーストフレームセット処理を終了する。
【００４９】
ステップＳ１５では、ＤＸコードセンサ１２（図２参照）により、パトローネ２に付されたＤＸコードの読込みが行われる。
【００５０】
次に、ＤＸコード読込みの結果に基づき、ＤＸコードの有無が判定される（ステップＳ１６）。
【００５１】
ステップＳ１６において、ＤＸコード有りと判定された場合はステップＳ１７に進み「オーバタイム」に“Ｔ＿ＦＣ＿ＯＶＴＬ”を書き込んだ後、ステップＳ１９に進む。
【００５２】
ステップＳ１６において、ＤＸコード無しと判定された場合はステップＳ１８に進み「オーバタイム」に“Ｔ＿ＦＣ＿ＯＶＴＳ” を書き込んだ後、ステップＳ１９に進む。
【００５３】
ここで、“Ｔ＿ＦＣ＿ＯＶＴＬ”および“Ｔ＿ＦＣ＿ＯＶＴＳ”は、前述の所定時間として、ＤＸコードセンサ１２によりＤＸコードが検出されたか否かに応じて、ファーストフレームセット制御部３１（図４参照）によりそれぞれ設定される相対的な長時間および相対的な短時間を表すパラメータであり、例えば、“Ｔ＿ＦＣ＿ＯＶＴＬ”として、１０秒、“Ｔ＿ＦＣ＿ＯＶＴＳ”として、３秒というように、“Ｔ＿ＦＣ＿ＯＶＴＬ” には相対的に長い時間、“Ｔ＿ＦＣ＿ＯＶＴＳ” には相対的に短い時間が設定される。
【００５４】
このようにすることにより、ＤＸコード無しと判定された場合のパーフォセンサカウント処理（後述）に必要な最短時間を“Ｔ＿ＦＣ＿ＯＶＴＳ”として設定しておくことにより、ＤＸコードの無いパトローネが装填された場合でもフィルムの有無を検出することが可能となり、かつ、写真フィルムを装填せずに裏蓋が閉じられた場合でも写真フィルムの有無を検出するためのフィルム給送モータの駆動時間を必要最短の時間とすることができるので、ユーザに不快感を与えることが防止される。
【００５５】
また、ＤＸコード有りと判定された場合には、パトローネが装填されていることは確実なので、“Ｔ＿ＦＣ＿ＯＶＴＬ” として、“Ｔ＿ＦＣ＿ＯＶＴＳ”よりも相対的に長い時間を設定しておくことにより、パトローネ又はフィルムに多少の不具合がある場合でもファーストフレームセットのための処理時間を十分長く確保することができる。
【００５６】
ステップＳ１９では、「パーフォセンサカウンタ」にＣ＿ＦＦＳ＿ＰＦ１なる値を書き込んだ後、ステップＳ２０に進む。ここで、「パーフォセンサカウンタ」にセットされる値Ｃ＿ＦＦＳ＿ＰＦ１としては、図２に示したように、パトローネ２がパトローネ装填室１１に装填されたままで、フォトリフレクタ１８の位置に写真フィルム３がない状態から、写真フィルム３のパーフォレーション３ａがフォトリフレクタ１８の位置に到達した状態となるまでパトローネ２内の写真フィルム３を引き出すために必要なパーフォレーションのカウント数を設定する。
【００５７】
ステップＳ２０では、給送部４０（図４参照）の一部であるフィルム給送モータ（図示せず）を正転駆動、すなわち、パトローネ２（図２参照）から写真フィルム３を引き出す方向に回転させる。
【００５８】
次に、ステップＳ２１に進み、パーフォセンサカウント処理が行われる。
【００５９】
図７は、本実施形態のカメラにおけるパーフォセンサカウント処理のフローチャートである。
【００６０】
図７に示すように、先ず、「パーフォＡ／Ｄフラグ」がクリアされ（ステップＳ５１）、次いで、マイコン３０に備えられているタイマ（図示せず）に、前述の「オーバタイム」を再セットした後、タイマの計時をスタートさせる（ステップＳ５２）。
【００６１】
次に、ステップＳ５３に進み、タイマが上記「オーバタイム」、すなわち、“Ｔ＿ＦＣ＿ＯＶＴＬ” 又は“Ｔ＿ＦＣ＿ＯＶＴＳ”に達したか否かの判定を行う。
【００６２】
ステップＳ５３における判定の結果、タイマが「オーバタイム」に達している場合、この場合は、後述のパーフォセンサカウンタが０になるよりも前に上記タイマが「オーバタイム」に達していることから、何らかの異常が発生したことを表しているので、パーフォセンサカウント処理を終了してファーストフレームセット処理（図６参照）に戻り、ステップＳ３２以降の異常処理（後述）を実行する。
【００６３】
一方、ステップＳ５３における判定の結果、タイマが「オーバタイム」に達していない場合はステップＳ５４に進み、開閉センサ１７（図２参照）から裏蓋が開けられた旨の信号が得られたか否かの判定を行う。
【００６４】
ステップＳ５４における判定の結果、裏蓋が開けられたと判定した場合も、何らかの異常が発生したことを表しているので、パーフォセンサカウント処理を終了してファーストフレームセット処理（図６参照）に戻り、ステップＳ３２以降の異常処理（後述）を実行する。
【００６５】
ステップＳ５４における判定の結果、裏蓋が開けられたのではないと判定した場合は、ステップＳ５５に進み、フォトリフレクタ１８（図２参照）の出力信号のＡ／Ｄ変換を行う（ステップＳ５５）。
【００６６】
次に、ステップＳ５６に進み、「センサ状態」が“フィルム”であるか否かの判定が行われる。
【００６７】
この「センサ状態」は、初期値としてなんらの値も定義されていないので、ステップＳ５６における最初の判定では、「センサ状態」は、“フィルム”ではないと判定され、ステップＳ６４に進み、フォトリフレクタ１８の出力信号に基づくパーフォレーション検出が行われる。
【００６８】
図８は、フォトリフレクタによるパーフォレーション検出の様子を示す図である。
【００６９】
図８（ａ）に示すように、このフォトリフレクタ１８には、発光部１８ａ及び受光部１８ｂが備えられている。
【００７０】
図８（ａ）は、発光部１８ａから発せられた光が、写真フィルム３に穿設されたパーフォレーション３ａを通過して直進している状態を示しており、この状態では、受光部１８ｂは光を検知していない。
【００７１】
図８（ｂ）は、発光部１８ａから発せられた光が、写真フィルム３のパーフォレーション３ａの穿設されていない部分で反射されている状態を示しており、この状態では、受光部１８ｂにより光が検知される。
【００７２】
図９は、フォトリフレクタの出力信号をＡ／Ｄ変換したＡ／Ｄ値の波形を示す図である。
【００７３】
図９に示すように、フォトリフレクタ１８（図２参照）の出力信号から得られたＡ／Ｄ値４３は、写真フィルム３にパーフォレーション３ａが穿設されている領域Ｐでは、写真フィルム３からの反射光がないので最小値Ｖｍｉｎを示し、パーフォレーション３ａが穿設されていない領域Ｆでは、写真フィルム３からの反射光により最大値Ｖｍａｘに達する。領域Ｐと領域Ｆとの境界部分では図示のように曲線状に変化する。
【００７４】
このＡ／Ｄ値４３を、Ｌ側閾値Ｖｔｈ＿ＬおよびＨ側閾値Ｖｔｈ＿Ｈにより２値データとすることにより変換パルス４４が得られる。
【００７５】
この変換パルス４４は、写真フィルム３にパーフォレーション３ａが穿設されている領域Ｐでは０となり、写真フィルム３にパーフォレーション３ａが穿設されていない領域Ｆでは１となる。すなわち、領域Ｐは「センサ状態」が“パーフォ”であることを示し、領域Ｆは「センサ状態」が“フィルム”であることを示している。
【００７６】
なお、図２に示すように、パトローネ２内のフィルム３の先端がフォトリフレクタ１８の位置に到達するまでの間は、フィルム３からの反射光がないのでＡ／Ｄ値４３は、最小値Ｖｍｉｎのままである。
【００７７】
図７のフローチャートに戻り、パーフォセンサカウント処理の説明を続ける。
【００７８】
ステップＳ５６における判定の結果、「センサ状態」が“フィルム”ではない場合、すなわち、「センサ状態」が未定義のままであるか、又は「センサ状態」が“フィルム”以外である場合はステップＳ６４に進み、Ａ／Ｄ値４３（図９参照）がＨ側閾値（Ｖｔｈ＿Ｈ）を超えているか否かを判定する。
【００７９】
ステップＳ６４における判定の結果、Ａ／Ｄ値４３（図９参照）がＨ側閾値以下である場合はステップＳ６７に進み、「パーフォＡ／Ｄフラグ」をクリアした後、ステップＳ５３に戻りステップＳ５３以降の処理を繰り返す。このステップＳ６７を経由するルーチンは、パトローネ２内のフィルム３の先端がフォトリフレクタ１８の位置に到達し、Ａ／Ｄ値４３がＨ側閾値を超えるに至るまで続けられる。
【００８０】
ステップＳ６４における判定の結果、Ａ／Ｄ値４３（図９参照）がＨ側閾値を超えている場合はステップＳ６５に進み、「パーフォＡ／Ｄフラグ」がセットされているか否かを判定する。
【００８１】
ステップＳ６５における判定の結果、「パーフォＡ／Ｄフラグ」がセットされていない場合はステップＳ６８に進み、「パーフォＡ／Ｄフラグ」をセットした後、ステップＳ５３に戻りステップＳ５３以降の処理を繰り返す。
【００８２】
ステップＳ６５における判定の結果、「パーフォＡ／Ｄフラグ」がセットされている場合はステップＳ６６に進み、「センサ状態」を“フィルム”とした後、ステップＳ５１に戻りステップＳ５１以降の処理を繰り返す。
【００８３】
上記のように、ステップＳ５３からステップＳ５４、ステップＳ５５、ステップＳ５６、ステップＳ６４を経てステップＳ６５に至る一連の処理を２回繰り返し、第１回目にはステップＳ６８において「パーフォＡ／Ｄフラグ」をセットし、第２回目にはステップＳ６６において「センサ状態」を“フィルム”としているのは、以下の理由によるものである。すなわち、Ａ／Ｄ値４３（図９参照）が１回だけＨ側閾値を超えた場合には、何らかの外乱によるノイズのためにＡ／Ｄ値４３が高くなったということもあり得るので、Ａ／Ｄ値４３が２回連続してＨ側閾値を超えた時点で、フィルムを検出したと判定することにより、ノイズによる誤動作を防止するためである。
【００８４】
このように構成したことにより、ステップＳ６６の段階ではフィルム３（図２参照）の先端がフォトリフレクタ１８の位置に到達しており、このカメラに写真フィルムが存在していることが確実になったとして、「センサ状態」を“フィルム”とする。
【００８５】
ステップＳ５６における判定の結果、「センサ状態」が“フィルム”である場合はステップＳ５７に進み、Ａ／Ｄ値４３（図９参照）がＬ側閾値未満であるか否かを判定する。
【００８６】
ステップＳ５７における判定の結果、Ａ／Ｄ値４３がＬ側閾値未満ではない場合はステップＳ５８に進み、「パーフォＡ／Ｄフラグ」をクリアした後、ステップＳ５３に戻りステップＳ５３以降の処理を繰り返す。このステップＳ５８を経由するルーチンは、写真フィルム３（図２参照）の、パーフォレーション３ａが穿設されていない部分（図９における領域Ｆ）がフォトリフレクタ１８の位置を通り過ぎ、パーフォレーション３ａが穿設されている部分（図９における領域Ｐ）がフォトリフレクタ１８の位置に到達し、Ａ／Ｄ値４３がＬ側閾値以下となるまで続けられる。
【００８７】
ステップＳ５７における判定の結果、Ａ／Ｄ値４３がＬ側閾値未満である場合はステップＳ５９に進み、「パーフォＡ／Ｄフラグ」がセットされているか否かを判定する。
【００８８】
ステップＳ５９における判定の結果、「パーフォＡ／Ｄフラグ」がセットされていない場合はステップＳ６０に進み、「パーフォＡ／Ｄフラグ」をセットした後、ステップＳ５３に戻りステップＳ５３以降の処理を繰り返す。
【００８９】
ステップＳ５９における判定の結果、「パーフォＡ／Ｄフラグ」がセットされている場合はステップＳ６１に進み、「センサ状態」を“パーフォ”とする。
【００９０】
上記のように、ステップＳ５３からステップＳ５４、ステップＳ５５、ステップＳ５６、ステップＳ５７を経てステップＳ５９に至る一連の処理を２回繰り返し、第１回目にはステップＳ６０において「パーフォＡ／Ｄフラグ」をセットし、第２回目にはステップＳ６１において「センサ状態」を“パーフォ”としているのは、前述のステップＳ６４，Ｓ６５を経由するルーチンと同様、外乱による誤動作を防止するためである。
【００９１】
このように構成したことにより、ステップＳ６１の段階では、写真フィルム３（図２参照）の、パーフォレーション３ａが穿設されていない部分（図９における領域Ｆ）がフォトリフレクタ１８の位置を通り過ぎ、パーフォレーション３ａが穿設されている部分（図９における領域Ｐ）がフォトリフレクタ１８の位置に確実に到達したと判定されるので、「センサ状態」を“パーフォ”とした後、ステップＳ１９（図６参照）においてＣ＿ＦＦＳ＿ＰＦ１に設定された「パーフォセンサカウンタ」から１を減算する（ステップＳ６２）。
【００９２】
なお、上記のパーフォセンサカウントは、フォトリフレクタ１８（図２参照）の位置にある写真フィルム３の状態が、領域Ｆ（図９参照）から領域Ｐに変わり、Ａ／Ｄ値４３が連続２回Ｖｔｈ＿Ｌ未満であることが検出された時刻ｔ、すなわち、変換パルス４４の値が１から０となった時刻ｔでカウントされる。
【００９３】
次に、ステップＳ６３に進み、「パーフォセンサカウンタ」が０であるか否かを判定する。
【００９４】
ステップＳ６３における判定の結果、「パーフォセンサカウンタ」が０ではない場合はステップＳ５１に戻りステップＳ５１以降の処理を繰り返す。こうして、「パーフォセンサカウンタ」が０となるまで、ステップＳ５３からステップＳ５４、ステップＳ５５、ステップＳ５６、ステップＳ５７、ステップＳ６１、ステップＳ６２を経てステップＳ６３に至る一連の処理が繰り返される。
【００９５】
ステップＳ６３における判定の結果、「パーフォセンサカウンタ」が０となった場合はパーフォセンサカウント処理を終了し、図６に示すファーストフレームセット処理に戻り、ステップＳ２２以降の処理を続ける。
【００９６】
図６のフローチャートに戻り、ファーストフレームセット処理の説明を続ける。
【００９７】
ステップＳ２１におけるパーフォセンサカウント処理を終了した後、ステップＳ２２において、パーフォセンサカウント処理が正常に完了しているか否かを判定する。すなわち、「パーフォセンサカウンタ」が０になっているか否かを判定する。
【００９８】
従って、ステップＳ１９で設定される「パーフォセンサカウンタ」の設定値Ｃ＿ＦＦＳ＿ＰＦ１を、フィルムの有無を判定するのに好適な値に設定することにより、フィルムの有無を確実に判定することができる。
【００９９】
ステップＳ２２における判定の結果、カウントが完了している場合、すなわち、「パーフォセンサカウンタ」が０になっている場合にはステップＳ２３に進み、「フィルムカウント」に“０”を書き込んだ後、ステップＳ２４に進む。
【０１００】
ステップＳ２２における判定の結果、カウントが完了していない場合にはステップＳ３２以降の異常処理（後述）が行われる。
【０１０１】
ステップＳ２４では、その「フィルムカウント」の値をＥＥＰＲＯＭ３８（図４参照）に書き込む。このＥＥＰＲＯＭ３８への書込みは、前述のステップＳ１２におけると同様の理由から行われる。
【０１０２】
次に、上記「フィルムカウント」の値（すなわち、“０”）を表示部１ｊ（図２参照）に表示する（ステップＳ２５）。
【０１０３】
図１０は、本実施形態のカメラの表示部による表示の一例を示す図である。
【０１０４】
図１０に示すように、こののカメラ表示部１ｊには、右上部には「フィルムカウント」数が表示される領域Ａ１が設けられ、左上部には露出、フラッシュ、セルフタイマなどの各種撮影条件の設定状態が表示される領域Ａ２が設けられ、右下部には日付及び時刻が表示される領域Ａ３が設けられ、左下部には電池の消耗状態が表示される領域Ａ４などが設けられている。
【０１０５】
図１０には、領域Ａ３の日付及び時刻が未設定のままであり、領域Ｆには意味のない数字が表示されているなど初期状態の例が示されているが、上記のステップＳ２５（図６参照）の段階では、領域Ａ１に「フィルムカウント」の値が表示される。
【０１０６】
図１１は、本実施形態のカメラの表示部に“０”が表示された状態を示す図である。
【０１０７】
図１１に示すように、表示部１ｊに「フィルムカウント」の値“０”が表示される。
【０１０８】
図６のフローチャートに戻り、ファーストフレームセット処理の説明を続ける。
【０１０９】
ステップＳ２５における「フィルムカウント」表示の後、ステップＳ２６に進み「オーバタイム」に１秒をセットし、次にステップＳ２７に進み「パーフォセンサカウンタ」にＣ＿ＦＦＳ＿ＰＦ２なる値をセットする。
【０１１０】
上記の１秒という値は、ステップＳ２８におけるパーフォセンサカウント処理中に、パトローネ、フイルム、給送部などに軽微な異常があった場合にも処理できるように設定される値である。
【０１１１】
「パーフォセンサカウンタ」にセットされる値Ｃ＿ＦＦＳ＿ＰＦ２としては、上記のように、写真フィルムが確実に存在することが確認されて「フィルムカウント」を０とした状態から、パトローネ内の写真フィルムをさらに撮影開始位置まで引き出すために必要なパーフォレーションのカウント数を設定する。
【０１１２】
次に、ステップＳ２８に進み、パーフォセンサカウント処理を行う。このパーフォセンサカウント処理では、ステップＳ２１におけるパーフォセンサカウント処理と同様の処理ルーチン（図７参照）が用いられる。
【０１１３】
ステップＳ２８におけるパーフォセンサカウント処理を終了した後、ステップＳ２９に進み、パーフォセンサカウント処理が正常に完了したか否かを判定する。すなわち、「パーフォセンサカウンタ」が０になっているか否かを判定する。
【０１１４】
ステップＳ２９における判定の結果、パーフォセンサカウント処理が正常に完了している場合にはステップＳ３０に進み、「カメラ状態」に“撮・スタンバイ” を書き込んだ後、ステップＳ３１に進み、「フィルムカウント」に“１”を書き込み、ステップＳ３８に進む。ステップＳ３８では、フィルム給送モータにブレーキをかけて停止させ、フィルム給送モータを待機させる。そして、「フィルムカウント」の値を表示部１ｊ（図２参照）に表示する（ステップＳ３９）。
【０１１５】
こうして、このカメラのファーストフレームセットは正常に完了し、ユーザによる写真撮影が可能な状態となる。
【０１１６】
図１２は、本実施形態のカメラの表示部に“１”が表示された状態を示す図である。
【０１１７】
図１２に示すように、表示部１ｊには「フィルムカウント」の値“１”が表示されている。
【０１１８】
図６のフローチャートに戻り、ファーストフレームセット処理の説明を続ける。
【０１１９】
ステップＳ３９において「フィルムカウント」の表示を行った後、ステップＳ４０では、ＥＥＰＲＯＭ３８（図２参照）に「カメラ状態」の値および「フィルムカウント」の値を書き込む。このＥＥＰＲＯＭ３８への書込みは、前述のステップＳ１２におけると同様の理由から行われる。
【０１２０】
さらに、パーフォセンサ用電源、すなわち、フォトリフレクタ１８（図２参照）用の電源をオフにし（ステップＳ４１）、図６に示すファーストフレームセット処理を終了して図５に示す裏蓋閉処理に戻り全ての処理を終了する。
【０１２１】
一方、ステップＳ２９における判定の結果、パーフォセンサカウントが完了していない場合（すなわち、「パーフォセンサカウンタ」が０にならないうちに「オーバタイム」となってしまった場合）にはステップＳ３２以降の異常処理が行われる。
【０１２２】
また、ステップＳ２２における判定の結果、パーフォセンサカウントが完了していない場合にもステップＳ３２以降の異常処理が行われる。
【０１２３】
ステップＳ３２では、開閉センサ１７（図２参照）から裏蓋が開けられた旨の信号が得られたか否かの判定を行う。
【０１２４】
ステップＳ３２における判定の結果、裏蓋が開けられたと判定した場合はステップＳ３３に進みＤＸコードセンサ１２（図２参照）からの信号に基づき、ＤＸコードの有無を判定する。
【０１２５】
ステップＳ３３における判定の結果、ＤＸコード有りと判定された場合は、ステップＳ３４に進み、「フィルムカウント」に“Ｅ”を書き込み、ステップＳ３５に進んで「フィルムカウント」の表示条件を点滅に設定し、ステップＳ３７に進んで「カメラ状態」に“初期状態”を書き込んだ後、前述のステップＳ３８以降の処理が行われる。
【０１２６】
上記ステップＳ３４で「フィルムカウント」に“Ｅ”を書き込んだ結果は、前述のステップＳ３９において次のように表示される。
【０１２７】
図１３は、本実施形態のカメラの表示部に“Ｅ”が表示された状態を示す図である。
【０１２８】
図１３に示すように、表示部１ｊに「フィルムカウント」の値“Ｅ”が表示される。
【０１２９】
図６のフローチャートに戻り、ファーストフレームセット処理の説明を続ける。
【０１３０】
ステップＳ３２における判定の結果、裏蓋が閉じられていないと判定された場合はステップＳ３６に進み「フィルムカウント」に“＿”を書き込んだ後、前述のステップＳ３７以降の処理が行われる。
【０１３１】
上記ステップＳ３６で「フィルムカウント」に“＿”を書き込んだ結果は、前述のステップＳ３９においてフィルムカウントの表示が消去される。
【０１３２】
図１４は、本実施形態のカメラの表示部にフィルムカウントの表示が消去された状態を示す図である。
【０１３３】
図１４に示すように、表示部１ｊには「フィルムカウント」については表示されない。
【図面の簡単な説明】
【０１３４】
【図１】本発明の一実施形態であるカメラの外観を示す斜視図である。
【図２】本実施形態のカメラの裏面側およびカメラ内部に装填されるパトローネを示す概要図である。
【図３】本実施形態のカメラの概略構成を示すブロック図である。
【図４】本実施形態のカメラの制御機構を示すブロック図である。
【図５】本実施形態のカメラにおける裏蓋閉処理のフローチャートである。
【図６】本実施形態のカメラにおけるファーストフレームセット処理のフローチャートである。
【図７】本実施形態のカメラにおけるパーフォセンサカウント処理のフローチャートである。
【図８】フォトリフレクタによるパーフォレーション検出の様子を示す図である。
【図９】フォトリフレクタの出力信号をＡ／Ｄ変換したＡ／Ｄ値の波形を示す図である。
【図１０】本実施形態のカメラの表示部による表示の一例を示す図である。
【図１１】本実施形態のカメラの表示部に“０”が表示された状態を示す図である。
【図１２】本実施形態のカメラの表示部に“１”が表示された状態を示す図である。
【図１３】本実施形態のカメラの表示部に“Ｅ”が表示された状態を示す図である。
【図１４】本実施形態のカメラの表示部にフィルムカウントの表示が消去された状態を示す図である。
【符号の説明】
【０１３５】
１    カメラ
１ａ    カメラボディ
１ｂ    レンズ鏡胴
１ｃ    測光窓
１ｄ    ＡＦ窓
１ｅ    ファインダ窓
１ｆ    閃光発光窓
１ｇ    レリーズ釦
１ｈ    ファインダ
１ｊ    表示部
２    パトローネ
３    写真フィルム
３ａ    パーフォレーション
３ｂ    先端部
１１    パトローネ装填室
１２    ＤＸコードセンサ
１３    露光枠
１４    スプロケット
１５    巻取りスプール
１６    裏蓋
１７    開閉センサ
１８    フォトリフレクタ
１８ａ    発光部
１８ｂ    受光部
１９    ファインダ
２１    蝶番
２２    圧板
２３    フィルム確認窓
３０    マイコン
３０ａ    ＲＡＭ
３０ｂ    ＲＯＭ
３１    ファーストフレームセット制御部
３２    電源回路
３３    ＬＣＤ
３４    ＬＥＤ群
３５    フラッシュ回路
３６    測光回路
３７    測距回路
３８    ＥＥＰＲＯＭ
３９    スイッチ群
４０    給送部
４１    シャッタ駆動部
４２    モータドライバＩＣ
４３    Ａ／Ｄ値
４４    変換パルス
５０    撮影部
【図１】
2005274902.tif 000003
【図２】
2005274902.tif 000004
【図３】
2005274902.tif 000005
【図４】
2005274902.tif 000006
【図５】
2005274902.tif 000007
【図６】
2005274902.tif 000008
【図７】
2005274902.tif 000009
【図８】
2005274902.tif 000010
【図９】
2005274902.tif 000011
【図１０】
2005274902.tif 000012
【図１１】
2005274902.tif 000013
【図１２】
2005274902.tif 000014
【図１３】
2005274902.tif 000015
【図１４】
2005274902.tif 000016